(57)【要約】  【課題】直方体状の物体を縦置きで箱に梱包する際に、この物体が倒れないように支持する梱包支援治具を提供する。  【手段】梱包支援治具１は、複数の直方体状物体を縦置きで箱に梱包する際に用いられる。梱包支援治具１は、箱の内部に配置された直方体状物体の上面に配置される第１のプレート１ａと、第１のプレート１ａから延設され、第１のプレート１ａに対して略垂直に設けられ、前記直方体状物体の前面に当接する第２のプレート１ｂと、第１のプレート１ａから延設され、第１のプレート１ａおよび第２のプレート１ｂに対して略垂直に設けられ、前記箱の側面に当接する第３のプレート１ｃとを備える。【選択図】図１
2010126195.tif 000002
【特許請求の範囲】
【請求項１】
複数の直方体状物体を縦置きで箱に梱包する際に用いられる梱包支援治具であって、
前記箱の内部に配置された直方体状物体の上面に配置される第１のプレートと、
前記第１のプレートから延設され、前記第１のプレートに対して略垂直に設けられ、前記直方体状物体の前面に当接する第２のプレートと、
前記第１のプレートから延設され、前記第１のプレートおよび前記第２のプレートに対して略垂直に設けられ、前記箱の側面に当接する第３の面とを備えたことを特徴とする梱包支援治具。
【請求項２】
前記第１のプレートと前記第２のプレートとの接続部に折り返し部が設けられた、請求項１に記載の梱包支援治具。
【請求項３】
少なくとも前記第３の面において、前記箱の側面に当接する側に、滑り止め防止部材が設けられた、請求項１または２に記載の梱包支援治具。
【請求項４】
前記滑り止め防止部材が樹脂シートである、請求項１または２に記載の梱包支援治具。
【請求項５】
複数の直方体状物体を縦置きで箱に梱包する梱包方法であって、
前記箱の内部に配置された直方体状物体の上面に配置される第１のプレートと、前記第１のプレートから延設され、前記第１のプレートに対して略垂直に設けられ、前記直方体状物体の前面に当接する第２のプレートと、前記第１のプレートから延設され、前記第１のプレートおよび前記第２のプレートに対して略垂直に設けられ、前記箱の側面に当接する第３のプレートとを備えた梱包支援治具を用い、
前記箱の内部に一つの直方体状物体を配置し、当該直方体状物体の上面に、前記梱包支援治具の第１のプレートを配置し、前記第２のプレートを当該直方体状物体の前面に当接させ、前記第３のプレートを前記箱の側面に当接させる工程と、
前記一つの直方体状物体の前面に次の直方体状物体を配置してから、前記梱包支援治具を取り外す工程とを含むことを特徴とする梱包方法。
【発明の詳細な説明】
【技術分野】
【０００１】
本発明は、複数の直方体状物体を縦置きで箱に梱包する梱包方法と、梱包に使用される梱包支援治具とに関する。
【背景技術】
【０００２】
従来、液晶ディスプレイ等のフラットディスプレイのパネル基板を出荷する場合、個々のパネル基板を保護するために発泡スチロール等のケースで個別に梱包することが一般的である（例えば、特許文献１参照）。また、これらの複数のケースをまとめて一つの段ボールケースに梱包することがある。
【０００３】
このとき、図５に示すように、段ボールケース１１の中に、複数の発泡スチロールケース２１（２１ａ〜２１ｄ）を順次配置していくこととなる。この際に、例えば、梱包される物品が液晶ディスプレイである場合、製品品質を維持する観点から、縦置きのまま作業することが必要とされる。
【特許文献１】特開２００７−３９１２０号公報
【発明の開示】
【発明が解決しようとする課題】
【０００４】
ここで、発泡スチロールケース２１は、縦置きにした場合、底面積が比較的小さいので、手で押さえていないと倒れやすいという問題がある（図５参照）。もちろん、液晶ディスプレイは精密機器であるので、倒れて衝撃を与えないように注意しなければならない。このため、例えば、一人が発泡スチロールケース２１を手で押さえ、もう一人が次の発泡スチロールケース２１を詰め込むといった作業手順をとる必要があり、作業効率が悪いという問題もあった。
【０００５】
本発明は、上記の問題を鑑み、直方体状の物体を縦置きで箱に梱包する際に、この物体が倒れないように支持する梱包支援治具を提供することを目的とする。また、この梱包支援治具を用いることにより、作業効率のよい梱包方法を実現する。
【課題を解決するための手段】
【０００６】
上記の課題を解決するために、本発明にかかる梱包支援治具は、複数の直方体状物体を縦置きで箱に梱包する際に用いられる梱包支援治具であって、前記箱の内部に配置された直方体状物体の上面に配置される第１のプレートと、前記第１のプレートから延設され、前記第１のプレートに対して略垂直に設けられ、前記直方体状物体の前面に当接する第２のプレートと、前記第１のプレートから延設され、前記第１のプレートおよび前記第２のプレートに対して略垂直に設けられ、前記箱の側面に当接する第３のプレートとを備えたことを特徴とする。
【０００７】
また、本発明にかかる梱包方法は、複数の直方体状物体を縦置きで箱に梱包する梱包方法であって、前記箱の内部に配置された直方体状物体の上面に配置される第１のプレートと、前記第１のプレートから延設され、前記第１のプレートに対して略垂直に設けられ、前記直方体状物体の前面に当接する第２のプレートと、前記第１のプレートから延設され、前記第１のプレートおよび前記第２のプレートに対して略垂直に設けられ、前記箱の側面に当接する第３のプレートとを備えた梱包支援治具を用い、前記箱の内部に一つの直方体状物体を配置し、当該直方体状物体の上面に、前記梱包支援治具の第１のプレートを配置し、前記第２のプレートを当該直方体状物体の前面に当接させ、前記第３のプレートを前記箱の側面に当接させる工程と、前記一つの直方体状物体の前面に次の直方体状物体を配置してから、前記梱包支援治具を取り外す工程とを含むことを特徴とする。
【発明の効果】
【０００８】
本発明によれば、直方体状の物体を縦置きで箱に梱包する際に、この物体が倒れないように支持する梱包支援治具を提供できる。また、この梱包支援治具を用いることにより、作業効率のよい梱包方法を実現できる。
【発明を実施するための最良の形態】
【０００９】
本発明の一実施形態にかかる梱包支援治具は、複数の直方体状物体を縦置きで箱に梱包する際に用いられる梱包支援治具であって、前記箱の内部に配置された直方体状物体の上面に配置される第１のプレートと、前記第１のプレートから延設され、前記第１のプレートに対して略垂直に設けられ、前記直方体状物体の前面に当接する第２のプレートと、前記第１のプレートから延設され、前記第１のプレートおよび前記第２のプレートに対して略垂直に設けられ、前記箱の側面に当接する第３のプレートとを備えた構成である。
【００１０】
この構成によれば、直方体状物体が前面側（第２のプレートの法線方向）へ倒れようとする力が働いたときに、この第２のプレートに対して略垂直に設けられた第３のプレートに対しては、箱の側面に押しつけられる方向に力が働く。したがって、第３のプレートと箱の側面との摩擦力により、直方体状物体が前面側へ倒れることが防止される。これにより、箱の内部に配置した直方体状物体を人が押さえることが不要となる。したがって、梱包作業の効率を向上させる梱包支援治具が実現される。
【００１１】
前記の梱包支援治具において、前記第１のプレートと前記第２のプレートとの接続部に折り返し部が設けられたことが好ましい。折り返し部は、梱包支援治具を直方体状物体に取り付けたときに、直方体状物体の上方に突出する。このように折り返し部が設けられたことにより、折り返し部がバネのように作用し、直方体状物体が倒れることを効果的に防止することができる。また、折り返し部が直方体状物体の上方に突出することにより、梱包支援治具を取り外す際には折り返し部を手でつかんで引っ張れば良いので、作業がより効率的になるという利点もある。
【００１２】
また、前記の梱包支援治具において、少なくとも前記第３のプレートにおいて、前記箱の側面に当接する側に、滑り止め防止部材が設けられた構成とすることが好ましい。滑り止め防止部材としては、箱の材料との摩擦係数が大きいものが好ましい。例えば、箱が段ボールケースである場合等には、例えばゴムシート（樹脂シート）等を、滑り止め防止部材として好適に用いることができる。
【００１３】
本発明の一実施形態にかかる梱包方法は、複数の直方体状物体を縦置きで箱に梱包する梱包方法であって、前記箱の内部に配置された直方体状物体の上面に配置される第１のプレートと、前記第１のプレートから延設され、前記第１のプレートに対して略垂直に設けられ、前記直方体状物体の前面に当接する第２のプレートと、前記第１のプレートから延設され、前記第１のプレートおよび前記第２のプレートに対して略垂直に設けられ、前記箱の側面に当接する第３のプレートとを備えた梱包支援治具を用い、前記箱の内部に一つの直方体状物体を配置し、当該直方体状物体の上面に、前記梱包支援治具の第１のプレートを配置し、前記第２のプレートを当該直方体状物体の前面に当接させ、前記第３のプレートを前記箱の側面に当接させる工程と、前記一つの直方体状物体の前面に次の直方体状物体を配置してから、前記梱包支援治具を取り外す工程とを含む。
【００１４】
この梱包方法によれば、直方体状物体が前面側（第２のプレートの法線方向）へ倒れようとする力が働いたときに、この第２のプレートに対して略垂直に設けられた第３のプレートに対しては、箱の側面に押しつけられる方向に力が働く。したがって、第３のプレートと箱の側面との摩擦力により、直方体状物体が前面側へ倒れることが防止される。これにより、箱の内部に配置した直方体状物体を作業者が押さえることが不要となる。したがって、梱包作業の効率を向上させる梱包支援治具が実現される。
【００１５】
以下、本発明のさらに具体的な実施形態について、図面を参照しながら説明する。図１は、本発明の一実施形態にかかる梱包支援治具１の構成を示す斜視図である。図２は、本実施形態にかかる梱包支援治具１を梱包時に用いる様子を示す模式図である。図３は、梱包支援治具１の構成を示す展開図である。図４は、梱包支援治具１の構成を示す側面図である。
【００１６】
本実施形態では、フラットディスプレイ等を収容した発泡スチロールケース２１（直方体状物体）を、複数個まとめて大きな箱１１に詰め込む場合に用いられる梱包支援治具１を例示する。
【００１７】
梱包支援治具１は、例えばＳＵＳ（ステンレス鋼）等の金属板を曲げて形作られ、その表面の一部にゴムシート２（滑り止め防止部材）が貼り付けられた構成である。図１および図２に示すように、梱包支援治具１は、第１のプレート１ａと、第２のプレート１ｂと、第３のプレート１ｃと、折り返し部１ｄとが形成されている。第１のプレート１ａは、図２に示すように、箱１１の内部に配置された発泡スチロールケース２１の上面に配置される面である。第２のプレート１ｂは、第１のプレート１ａから折り返し部１ｄを介して延設され、第１のプレート１ａに対して略垂直に設けられ、発泡スチロールケース２１の前面に当接する。第３のプレート１ｃは、第１のプレート１ａから延設され、第１のプレート１ａおよび第２のプレート１ｂに対して略垂直に設けられ、箱１１の側面に当接する。なお、二つの面が「略垂直」であるとは、これらの面がほぼ垂直であることを意味する。例えば、折り曲げ部分がカーブを有していても良い。また、本発明の目的を達成する上において、上記した面同士は必ずしも厳密に垂直である必要はない。
【００１８】
図１および図２に示すように、梱包支援治具１において、発泡スチロールケース２１に当接する箇所には、ゴムシート２が貼り付けられている。
【００１９】
図３に示すように、梱包支援治具１の材料となる金属板は、折り曲げ前はＬ字形状を有している。なお、図３に示した寸法（単位はミリメートル）はあくまでも一例であって、梱包対象物の大きさ等に応じて、任意のサイズに設計が可能である。図３において、実線で示した折り曲げ線Ｌ１，Ｌ２，Ｌ３は、山に折るための折り曲げ線であり、一点鎖線で示した折り曲げ線Ｌ４は、谷に折るための折り曲げ線である。折り曲げ線Ｌ１〜Ｌ４において金属板を折り曲げることにより、図１および図４に示す態様の梱包支援治具１が形作られる。なお、図４は、梱包支援治具１を、第３の面１ｃの法線方向から見た場合の側面図である。
【００２０】
折り返し部１ｄは、第１のプレート１ａと第２のプレート１ｂとの間に設けられており、折り曲げ線Ｌ４を谷に折り、折り曲げ線Ｌ２，Ｌ３を山に折ることによって形成される。図４から分かるように、折り返し部１ｄは、断面が略Ｕ字状（逆Ｕ字状）であり、第１のプレート１ａよりも上方に突出するようになっている。
【００２１】
このような構成を有する梱包支援治具１は、図２に示すように、箱１１の内部に複数の発泡スチロールケース２１（図２では、２１ａ〜２１ｄ）を、縦置き状態で奥から順次詰め込んでいくときに、最後に詰め込まれた発泡スチロールケース２１（図２では２１ｄ）の上面に第１のプレート１ａ、前面（発泡スチロールケース２１を詰め込んでいく方向において手前側の面）に第２のプレート１ｂ、箱１１の側面に第３のプレート１ｃが、それぞれ当接するように載置される。このように梱包支援治具１が載置されることにより、発泡スチロールケース２１ｄが前面に倒れることが防止される。すなわち、発泡スチロールケース２１ｄが前面側へ倒れようとする場合、発泡スチロールケース２１ｄの前面に当接している第２のプレート１ｂに対して、前面側へ押す力が加わる。このとき、第２のプレート１ｂに対してほぼ垂直に設けられている第３のプレート１ｃに対しては、てこの原理により、箱１１の側面に押しつける方向の力が働く。これにより、第３のプレート１ｃと箱１１の側面との間の摩擦力により、発泡スチロールケース２１ｄが倒れることが防止される。したがって、梱包支援治具１を最後に詰め込まれた発泡スチロールケース２１に取り付けるだけで、作業者が手で押さえていなくても、そのケースが倒れることを防止することができる。これにより、作業者が一人で詰め込み作業をすることが可能となり、梱包作業の効率が格段に向上する。つまり、作業者は、最初に、箱１１の一番奥に発泡スチロールケース２１ａを詰め込んで、その発泡スチロールケース２１ａに梱包支援治具１を取り付け、次の発泡スチロールケース２１ｂを取りに行き、取ってきた発泡スチロールケース２１ｂを発泡スチロールケース２１ａの前面に配置した後、発泡スチロールケース２１ａから梱包支援治具１を取り外して、発泡スチロールケース２１ｂに取り付ける。このような作業を繰り返すことにより、複数の発泡スチロールケース２１を箱１１に詰め込む作業を、容易に行うことができる。
【００２２】
なお、梱包支援治具１が折り返し部１ｄを備えていることにより、以下の２つの利点がある。１つ目は、発泡スチロールケース２１が倒れようとしたときに、折り返し部１ｄがバネのように作用して倒れようとする力を吸収するので、発泡スチロールケース２１が倒れることをさらに有効に防止することができるという点である。２つ目は、図２に示すように、折り返し部１ｄは、発泡スチロールケース２１の上方に突出するので、梱包支援治具１を作業者が移動させる際に、折り返し部１ｄを容易に手でつかむことができ、作業が容易であるという点である。
【００２３】
なお、本実施形態において例示した梱包支援治具１は、あくまでも本発明の一実施形態を表したものであって、種々の設計変更が可能である。
【００２４】
例えば、図１に示した梱包支援治具１は、第１のプレート１ａおよび第３のプレート１ｃのそれぞれにおいて発泡スチロールケース２１に接しない側を除いた箇所がゴムシート２で覆われている。しかし、ゴムシート２等の滑り止め防止部材は、少なくとも、第３のプレート１ｃにおいて箱１１の側面に接する側に設けられていれば良い。また、滑り止め防止部材はゴムシート等の樹脂シートに限らず、箱や発泡スチロールケースとの摩擦係数が比較的大きい材料であれば、任意の材料を用いることができる。また、滑り止め防止部材の形態もシート状に限定されない。
【００２５】
さらに、図１に示した梱包支援治具１においては、第１のプレート１ａ、第２のプレート１ｂ、第３のプレート１ｃはいずれも矩形に形成されているが、これらのプレートは矩形でなくてもよく、任意の形状をとり得る。例えば、第２のプレート１ｂや第３のプレート１ｃの端部が、角のない丸みを帯びた形状に成形されていてもよい。
【００２６】
また、梱包対象となる物体についても、厳密な直方体状の物体には限定されない。
【産業上の利用可能性】
【００２７】
本発明は、複数の直方体状物体を縦置きで箱に梱包する際に用いられる梱包支援治具として、産業上利用可能である。
【図面の簡単な説明】
【００２８】
【図１】図１は、本発明の一実施形態にかかる梱包支援治具１の構成を示す斜視図である。
【図２】図２は、本実施形態にかかる梱包支援治具１を梱包時に用いる様子を示す模式図である。
【図３】図３は、梱包支援治具１の構成を示す展開図である。
【図４】図４は、梱包支援治具１の構成を示す側面図である。
【図５】図５は、梱包支援治具を用いない場合に発泡スチロールケースが倒れる状態を示す模式図である。
【符号の説明】
【００２９】
１      梱包支援治具
１ａ    第１のプレート
１ｂ    第２のプレート
１ｃ    第３のプレート
２      ゴムシート
１１    箱
２１    発泡スチロールケース
【図１】
2010126195.tif 000003
【図２】
2010126195.tif 000004
【図３】
2010126195.tif 000005
【図４】
2010126195.tif 000006
【図５】
2010126195.tif 000007